(57)【特許請求の範囲】
【請求項１】
上端部にファン部を取り付け、下端部に支柱固定用の基部を形成し、この基部の下部を筒状部分とし、この筒状部分の内周側表面に雌ねじ部を形成した支柱と、
支柱の基部を挿入する支柱取付穴を有し、この支柱取付穴に支柱を挿入したときに前記筒状部分が支柱取付穴から突出するように形成された基台と、
前記突出する筒状部分の雌ねじ部に螺合させる雄ねじ部を有し、この雄ねじ部を前記雌ねじ部に締め付けることにより、支柱を基台に取り付ける固定部材とを備え、
この固定部材は、さらに、前記雄ねじ部を雌ねじ部に締め付けた状態における前記筒状部分の外周側に、前記雄ねじ部の下端位置からこの雄ねじ部の軸方向に立設した環状の保護リブを有する扇風機。
【請求項２】
前記雌ねじ部を形成した筒状部分の肉厚と、前記固定部材における雄ねじ部と保護リブ間の間隔寸法とを略同一とした請求項１記載の扇風機。
【請求項３】
前記固定部材は、前記雄ねじ部を雌ねじ部に締め付けた状態において前記基台に当接する固定リブを有し、
この固定リブは、前記保護リブの外周側にあって、前記雄ねじ部の下端位置からこの雄ねじ部の軸方向に傾斜して立設された環状のリブであり、かつ、その外周表面部に滑り止め形状が施されている請求項１又は２記載の扇風機。
【請求項４】
前記保護リブは、その上端が前記雄ねじ部の上端より上方となるように形成されている請求項２記載の扇風機。
【請求項５】
前記支柱の基部は、前記雌ねじ部を形成する筒状部分の中心付近の底面部分を断面円形で下方へ膨出した膨出部を有し、この膨出部の膨出高さを前記固定部材の下端面に略一致させたものであり、
前記固定部材は、円筒状部の外周表面部に前記雄ねじ部を形成し、この円筒状部の内周側下端面に前記膨出部の周囲を封鎖する封止板部を有するものである
請求項１〜４の何れか１項記載の扇風機。
【発明の詳細な説明】
【０００１】
【発明の属する技術分野】
本発明は、扇風機に関し、特にスタンド部を基台と支柱とに分離し得る扇風機に関する。
【０００２】
【従来の技術】
近年、扇風機は流通段階で運搬、保管しやすいように、また、使用者がオフシーズンに収納しやすいように、スタンド部を基台と支柱とに分離可能として小型化できるようにしたものが使用されている。
【０００３】
このように、スタンド部を基台と支柱とに分離し得る扇風機としては、例えば特許公報第３１０３０１６４号公報に記載のものが知られている。
この従来の扇風機では、支柱の下端にやや径大な挿入部（基部）が設けられ、この挿入部の下端の保護カバー（底面部分）に雄ねじ部が突設されている。そして、この挿入部を基台の嵌合凹部に差し込み、雄ねじ部を基台の底板から下方に突出させ、この雄ねじ部にナットを締め付けることにより、支柱を基台に取り付けていた。
【０００４】
【発明が解決しようとする課題】
したがって、従来の扇風機では、支柱単体で取り扱う際、雄ねじ部が突出しているため、この雄ねじ部を不注意で金属等の固体物に打ち付けると、雄ねじ部のネジ山が潰れて固定部材を締め付けることができなくなる恐れがあった。
【０００５】
本発明は、このような従来の技術に存在する問題点に着目してなされたものである。その目的とするところは、支柱を基部に対し取り付け又は取り外し作業をしている場合に、支柱の基部と基台とを結合するためのねじ部のねじ山をつぶすことのない扇風機を提供することにある。
【０００６】
【課題を解決するための手段】
上記のような目的を達成するために、本発明は、上端部にファン部を取り付け、下端部に支柱固定用の基部を形成し、この基部の下部を筒状部分とし、この筒状部分の内周側表面に雌ねじ部を形成した支柱と、支柱の基部を挿入する支柱取付穴を有し、この支柱取付穴に支柱を挿入したときに前記筒状部分が支柱取付穴から突出するように形成された基台と、前記突出する筒状部分の雌ねじ部に螺合させる雄ねじ部を有し、この雄ねじ部を前記雌ねじ部に締め付けることにより、支柱を基台に取り付ける固定部材とを備え、この固定部材は、さらに、前記雄ねじ部を雌ねじ部に締め付けた状態における前記筒状部分の外周側に、前記雄ねじ部の下端位置からこの雄ねじ部の軸方向に立設した環状の保護リブを有するものである。
ここに筒状部分とは、円筒状部分及び円筒状部分の一部を欠如した筒状部分、例えば略Ｃ型の筒状部分を含む。
【０００７】
このように構成すれば、支柱の基部を何かの弾みで金属等の固体物に強く当てた場合でも、この基部には雌ねじ部が形成されているだけで、外側に面する表面部にねじ部が形成されていないので、ねじ山が潰れるようなことがない。また、この雌ねじ部に螺合する雄ねじ部を有する固定部材においては、この雄ねじ部の外側に保護リブが形成されているので、この固定部材を落とすなどにより金属等の固定物に強く当てるようなことがあっても、ねじ山の潰れるような恐れが少ない。なお、この保護リブは、前記雄ねじ部を雌ねじ部に締め付けた状態における筒状部分の外周側に、前記雄ねじ部の下端位置からこの雄ねじ部の軸方向に立設して形成されているので、固定部材を締め付けたときに邪魔になるようなことがない。
【０００８】
また、前記雌ねじ部を形成した筒状部分の肉厚と、前記固定部材における雄ねじ部と保護リブ間の間隔寸法とを略同一としてもよい。
このように構成すれば、保護リブが雌ねじ部を形成した前記筒状部分の補強を行うので、この雌ねじ部を形成した前記筒状部分の肉厚を薄くすることができ、コスト軽減、重量軽減を図ることができる。
【０００９】
また、前記固定部材は、前記雄ねじ部を雌ねじ部に締め付けた状態において前記基台に当接する固定リブを有し、この固定リブは、前記保護リブの外周側にあって、前記雄ねじ部の下端位置からこの雄ねじ部の軸方向に傾斜して立設された環状のリブであり、かつ、その外周表面部に滑り止め形状が施されているものとしてもよい。
このように構成すれば、固定リブを掴んで固定部材を締め付けることができる。また、固定リブが保護リブの外周側に形成されているので、直径が大きくなり、固定部材の締め付けが容易となる。
【００１０】
また、前記保護リブは、その上端が前記雄ねじ部の上端より上方となるように形成されていることが好ましい。
このように構成すれば、雄ねじ部の保護がより確実になる。また、雄ねじ部を雌ねじ部に螺合する際、この螺合に先立ち保護リブが、雌ねじ部を形成した筒状部分の外周面部に被さるため、この保護リブが前記螺合をするための案内機能を果たすことができる。したがって、雄ねじ部が雌ねじ部に対し傾斜して無理やりにねじ込まれるようなことがなくなり、雄ねじ部及び雌ねじ部の寿命が長くなる。
【００１１】
また、前記支柱の基部は、前記雌ねじ部を形成する筒状部分の中心付近の底面部分に、断面円形で下方へ膨出した膨出部を有し、この膨出部の膨出高さを前記固定部材の下端面に略一致させたものであり、前記固定部材は、円筒状部の外周表面部に前記雄ねじ部を形成し、この円筒状部の内周側下端面に前記膨出部の周囲を封鎖する封止板部を有するものとしてもよい。
このように構成すれば、基台及び支柱に収納されるコネクターからファンモータ等への扇風機内の配線の遊び部を収容するスペースを支柱の下部に形成することができる。また、支柱の下部に封止板部が配置されるので、基台１内部へのごみの侵入を防止することができる。
【００１２】
【発明の実施の形態】
以下図面を参照しながら実施の形態について説明する。図１は本発明の実施の形態に係る扇風機の全体斜視図であり、図２は同扇風機全体の分解斜視図であり、図３は同扇風機において、支柱を基台に取り付けた状態の、基台周りの断面図であり、図４は同扇風機において、支柱を基台の支柱取付穴に挿入し、固定部材を締め付けていない状態の基台周りの断面図であり、図５は同扇風機における支柱基部の底面図であり、図６は同扇風機における固定部材の断面図である。
【００１３】
本実施の形態に係る扇風機は、図１および２に示すように、基台１と、基台１に支持されている支柱２と、支柱２の上端部に取り付けられているファン部３とからなる。また、図１及び２において、４は、支柱２の基部を示す。この基部４は基台１との結合部分を構成する。５はこの扇風機の操作部を示す。６は、支柱の基部に形成されている後記する雌ねじ部３１ａに締め付ける固定部材を示す。
【００１４】
基台１は、図２〜図４に示すように、上面の飾り板をなす部材である上面部分１１と、外周枠部と底面部とが一体的に形成されている底面部分１２とからなる。そして、上面部分１１の中央のやや後方よりには（正面は操作部５のあるところ）、支柱２の基部４を受け入れる支柱取付穴１１ａが形成されている。
【００１５】
支柱取付穴１１ａは、図３及び図４に示すように、上面から底面の底面部分１２まで垂下する筒状部材により形成されている。また、上面部分１１における支柱取付穴１１ａの外側には、環状の凹溝１１ｂが形成されている。また、支柱取付穴１１ａの下端部には、Ｕ字状溝１１ｃが環状に形成されている。
【００１６】
底面部分１２は、上面部分１１の下部開放口を閉塞するものであるが、支柱取付穴１１ａに対応する下面とその周囲を含む部分を上方に隆起させた隆起部１２ａを形成している。そして、この隆起部１２ａの下方空間部を固定部材６を収容するための凹部１２ｂとしている。また、この隆起部１２ａにおける支柱取付穴１１ａの下方には、半円形よりやや大きい略Ｄ形穴１２ｃが形成され（図２参照）、支柱取付穴１１ａの下方の残部分は、隆起部１２ａにより塞がれている。なお、この隆起部１２ａの上面は、雌型コネクター１３ａの取付部分として利用されている。
【００１７】
支柱２の基部４は、図２〜図４から分るように、垂直に起立するパイプ状部材２ａの下端部を略ラッパ状に拡大した上面部分２１と、この上面部分２１の下方に連続して形成されているやや直径を小さくした円筒状部分２２と、この円筒状部分２２の下部開放端に取り付けられる底面部分２３とから構成されている。
【００１８】
上面部分２１は、外周縁部に、下方に延びるリブ２１ａが形成されている。このリブ２１ａは、支柱２が基台１に結合される状態において、基台１の環状溝１１ｂに嵌入される。
【００１９】
円筒状部分２２は、前記基台１の支柱取付穴１１ａに嵌入されるような外径寸法に形成されている。また、その長さは、円筒状部分２２の下端部が前記支柱取付穴１１ａの下方に形成されているＵ字状溝１１ｃに挿入される寸法とされている。なお、雌型コネクター１３ａの上部の位置には、この雌型コネクター１３ａに結合する雄型コネクター１３ｂが取り付けられている。そこで、この雌型コネクター１３ａ、１３ｂへの配線を通過させるための通路を確保させるために、円筒状部分２２及びＵ字状溝１１ｃの位置が、この雄型コネクター１３ｂ周りで部分的にやや上方に位置するように形成されている。
【００２０】
底面部分２３は、上面部分２１から垂下するように形成されている複数のねじ座２４に対し複数のビス２５を締め付けることにより、上面部分２１及び円筒状部分２２と結合されている。なお、円筒状部分２２の内周側には、環状の補強リブ２６が上面部分２１から垂下して形成されており、ビス２５により底面部分２３を上面部分２１及び円筒状部分２２に結合した状態において、底面部分２３はこの補強リブ２６に当接するように構成されている。
【００２１】
また、底面部分２３の外周近傍には、底面部分２３の前記雌型コネクター１３ａ、１３ｂ周りを部分的に欠如した略Ｃ型筒状部分３１が形成され、この略Ｃ型筒状部分３１の内表面に雌ねじ部３１ａを形成している。そして、この底面部分２３の中心部分に固定部材６の下端面まで下方に膨出させた膨出部３２を設けている。なお、この膨出部３２内は、雄型コネクター１３ｂと図示しないファンモータとを接続する配線の逃がし部として利用されている。
【００２２】
固定部材６は、平面部６１から起立させた円筒状部６２と、この円筒状部６２と一定間隔をおいて、その外側を囲うように環状に起立した保護リブ６３と、さらに、この保護リブ６３の外側に形成された固定リブ６４とを備えており、これらは、平面部６１で相互に連結されている。
【００２３】
円筒状部６２は、外周表面に雄ねじ部６２ａを形成している。この雄ねじ部６２ａは雌ねじ部３１ａに螺合させるものである。保護リブ６３は、その上端を雄ねじ部６２ａの上端より少し高く形成されている。固定リブ６４は、保護リブ６３の外周側にあって、雄ねじ部６２ａの下端位置からこの雄ねじ部６２ａの軸方向に傾斜して立設された環状のリブであり、かつ、その外周表面部が波形に形成されている。この波形は、固定部材６を人手で掴んで回し易くするためのものであって、滑り止め機能を発揮できるように形成されている。雄ねじ部６２ａの内側には、この固定部材６を雌ねじ部３１ａに締め付けたときに、膨出部３２と円筒状部６２との間が外部に開放されないように封止する封止板部６１ａを設けている。
【００２４】
上記構成の扇風機の基台への支柱の取り付けは、次のように行われる。
先ず初めに、図２のような形態でファン部３を取り付けた支柱２を、基台１の支柱取付穴１１ａに対し上方から差し込む。このとき、支柱２を差し込むことにより、支柱２側に取り付けられた雄型コネクター１３ｂと基台１に取り付けられた雌型コネクター１３ａとを結合させるとともに、リブ２１ａを基台１の環状溝１１ｂに嵌入させる。このようにして支柱２が差し込まれた状態は、図４のような状態であって、環状溝１１ｂは、リブ２１ａを受けることにより支柱２の重量を支持している。また、雌ねじ部３１ａを形成する略Ｃ型筒状部分３１が、支柱取付穴１１ａ及び略Ｄ型穴１２ｃから下方に突出している。このようにして支柱２の基部４を基台１の支柱取付穴１１ａに差し込んだ後に、固定部材６の雄ねじ部６２ａを雌ねじ部３１ａに螺合させて締め付ける。これにより、支柱２が基台１に固定される。
【００２５】
上記のように構成された本実施の形態によれば、支柱１の基部４には雌ねじ部３１ａが形成されており、外側に面する個所にねじ部が形成されていないので、ねじ山が潰れるようなことがない。また、この雌ねじ部３１ａに螺合する雄ねじ部６２ａを有する固定部材６においては、この雄ねじ部６２ａの外側に保護リブ６３が形成されているので、この固定部材６を落とすなどにより金属等の固定物に強く当てるようなことがあっても、ねじ山の潰れる恐れがない。また、この保護リブ６３は、雄ねじ部６２ａを雌ねじ部３１ａに締め付けた状態におけるＣ型筒状部分３１ａの外周側に、雄ねじ部６２ａの下端位置からこの雄ねじ部６２ａの軸方向に立設して形成されているので、固定部材６を締め付けたときに邪魔になるようなことがない。
【００２６】
また、基部４において、雌ねじ部３１ａを形成した略Ｃ型筒状部分３１の肉厚と、前記固定部材６における雄ねじ部６２ａと保護リブ６３間の間隔寸法とを略同一としているので、保護リブ６３が雌ねじ部６２ａを形成した略Ｃ型筒状部分３１の補強を行うことができる。したがって、この略Ｃ型筒状部分３１の肉厚を薄くすることができ、コスト軽減、重量軽減を図ることができる。
【００２７】
また、保護リブ６３の外側に、基台１の底面に当接する固定リブ６４を有し、さらに、固定リブ６４は、保護リブ６３の外周側にあって、雄ねじ部６２ａの下端位置からこの雄ねじ部６２ａの軸方向に傾斜して立設された環状のリブであり、かつ、その外周表面部には、滑り止め機能を有する波形が施されているので、固定リブ６４を掴んで固定部材６を締め付けることができる。また、固定リブ６４が保護リブ６３の外周側に形成されているので、直径が大きくなり、固定部材６の締め付けが容易となる。
【００２８】
また、保護リブ６３の上端が雄ねじ部６２ａの上端より上方となるように形成されているので、雄ねじ部６２ａの保護が確実になる。また、雄ねじ部６２ａを雌ねじ部３１ａに螺合する際、この螺合に先立ち保護リブ６３が、雌ねじ部３１ａを形成した円筒状部分２２の外周面部に被さるため、保護リブ６３が螺合をするための案内機能を果たすことができる。したがって、雄ねじ部６２ａが雌ねじ部３１ａに対し傾斜して無理やりにねじ込まれるようなことがなくなり、雄ねじ部６２ａ及び雌ねじ部３１ａの寿命が長くなる。
【００２９】
また、支柱２の基部４は、雌ねじ部３１ａを形成するＣ型筒状部分３１の中心付近の底面部分に、断面円形で下方へ膨出した膨出部３２を設けているので、基台１及び支柱２に収納されるコネクター１３ａ、１３ｂからファンモータ等への扇風機内の配線の遊びを収容するスペースが、支柱２の下部に形成される。また、支柱２の基部４は、膨出部３２の膨出高さを固定部材６の下端面に略一致させたものであり、固定部材６は、円筒状部６２の外周表面部に雄ねじ部６２ａを形成し、この円筒状部６２の内周側下端面に膨出部３２の周囲を封鎖する封止板部６１ａを有するので、基台１の内部へのごみの侵入を防止することができる。
【００３０】
上記実施の形態において、雌ねじ部３１ａが略Ｃ型筒状部分３１に形成されているが、雌型コネクター１３ａ、雄型コネクター１３ｂのようなものがなければ、この略Ｃ型筒状部分３１を円形筒状部分にしてもよいことは勿論である。
【００３１】
【発明の効果】
本発明は、以上のごとく、支柱の基部には雌ねじ部が構成されているだけであるので、支柱の取扱時に、支柱の基部を金属等の固体物に当てても、支柱に形成されているねじ部のねじ山を損ねることがない。また、固定部材には雄ねじ部が形成されているが、この雄ねじ部は保護リブにより保護されているので、この雄ねじ部もねじ山を潰す恐れが少ない。また、この保護リブは、前記雄ねじ部を雌ねじ部に締め付けた状態における筒状部分の外周側に、前記雄ねじ部の下端位置からこの雄ねじ部の軸方向に立設して形成されているので、固定部材を締め付けたときに邪魔になるようなことがない。
【図面の簡単な説明】
【図１】本発明の実施の形態に係る扇風機の全体斜視図である。
【図２】同扇風機全体の分解斜視図である。
【図３】同扇風機において、支柱を基台に取り付けた状態の、基台周りの断面図である。
【図４】同扇風機において、支柱を基台の支柱取付穴に挿入し、固定部材を締め付けていない状態の基台周りの断面図である。
【図５】同扇風機における支柱基部の底面図である。
【図６】同扇風機における固定部材部の断面図である。
【符号の説明】
１     基台
２     支柱
４     基部
６     固定部材
１１ａ 支柱取付穴
１２   底面部分
１２ａ 隆起部
１２ｂ 凹部
１２ｃ 略Ｄ型穴
１３ａ 雌型コネクター
１３ｂ 雄型コネクター
２２   円筒状部分
２３   底面部分
３１   （略Ｃ型）筒状部分
３１ａ 雌ねじ部
３２   膨出部
６１ａ 封止板部
６１   平面部
６２   円筒状部
６３   保護リブ
６２ａ 雄ねじ部
６４   固定リブ
【図１】
0003733052.tif 000002
【図２】
0003733052.tif 000003
【図３】
0003733052.tif 000004
【図４】
0003733052.tif 000005
【図５】
0003733052.tif 000006
【図６】
0003733052.tif 000007